(57)【要約】【課題】長時間立位で作業を行う者の作業動作を制限せず、かつ、腰部の負担を軽減することができる姿勢補助具を提供する。【解決手段】姿勢補助具を、使用者の胴部に取り付けられる上部胴支持部（１）と、上部胴支持部材（１）の下側において使用者の胴部に取り付けられる下部胴支持部（２）と、上部胴支持部材（１）と下部胴支持部材（２）とを連結する連結部材（３、４）と、を備え、連結部材（３、４）が、伸縮可能な状態と伸縮不可能な状態に切り替えられるものとした。【選択図】  図１
2019041829.tif 000002
【特許請求の範囲】
【請求項１】
使用者の胴部に取り付けられる上部胴支持部と、
前記上部胴支持部材の下側において使用者の胴部に取り付けられる下部胴支持部と、
前記上部胴支持部材と前記下部胴支持部材とを連結する連結部材と、を備え、
前記連結部材が、伸縮可能な状態と伸縮不可能な状態に切り替えられることを特徴とする姿勢補助具。
【請求項２】
使用者の胴部に取り付けられる上部胴支持部と、
前記上部胴支持部材の下側において使用者の胴部に取り付けられる下部胴支持部と、
前記上部胴支持部と前記下部胴支持部材とを使用者の背中側で連結する背部連結部材と、
前記上部胴支持部と前記下部胴支持部材とを使用者の体側部側で連結する体側部連結部材とを備え、
前記背部連結部材又は前記体側部連結部材は、伸縮可能な状態と伸縮不可能な状態に切り替えられることを特徴とする姿勢補助具。
【発明の詳細な説明】
【技術分野】
【０００１】
本発明は、姿勢補助具に関するものであり、特に外科医等の立位で長時間作業を行う者が使用するのに好適なものである。
【背景技術】
【０００２】
手術時の外科医や直接介助ナースは、長時間に亙って立位で手術を行う必要があり、疲労が大きい。特に立位で数時間に及ぶ手術では腰部への負担や疲労が大きく、医療資源としての外科医やナースへの身体的悪影響も懸念され、現状でも腰痛から離職したケースもある。このため、外科医や直接介助ナースに対して快適な（負担の少ない）手術環境の確保と体幹の姿勢保持による疲労軽減とが求められる。
【０００３】
外科医の姿勢を保持するための従来の姿勢保持器具として、特許文献１に示すように、立位体位の使用者１１０の腸骨１１１を左側前方及び右側前方から支持する前支持部と左側方及び右側方から支持する横支持部とを備えて立位体位の使用者１１０の左右の腸骨１１１を支持する腸骨支持部１０１と、当該腸骨支持部１０１の上方に設けられて使用者１１０の両腕１１２を下方から支えるアームレスト１０２とを有するものがある（特許文献１)。
【０００４】
腰部コルセットは戦前から広く普及しており、体幹の姿勢保持効果も持ち合わせるが、特許文献２の身体用サポーターは、体幹を広く覆って３２で体幹の姿勢を保持する（特許文献２）。
【先行技術文献】
【特許文献】
【０００５】
【特許文献１】特開２０１３‐１０６８５７号公報
【特許文献２】特開２０１４‐０００１８５号公報
【発明の概要】
【発明が解決しようとする課題】
【０００６】
しかしながら、特許文献１の姿勢保持器具では、使用者の腕、特に肘や前鱒をアームレストに載せることはできても、手術中、特に消化器外科手術で必要な軽度の前傾姿勢を保持したり、メスやペアンなどの手術器具を持ち替えたりする際に必要な体をねじったりする姿勢を作る際はむしろ邪魔になり手術の進行を阻害する。このため、特に消化器外科で行うような軽度の前傾姿勢を保持する器具として十全であるとは言い難い場合もある。
【０００７】
また、特許文献２は３２でサポーター全体を締め上げると途中で体幹を捻る、前傾になる、といった動作を行うことが制限され、手術用サポーターとしては十分とは言い難い。
【０００８】
本発明は、上記課題を解決しようとするものであり、長時間立位で作業を行う者の作業動作を制限せず、かつ、腰部の負担を軽減することができる姿勢補助具を提供することを目的とする。
【課題を解決するための手段】
【０００９】
上記課題を解決するための、本発明の一つの観点によれば、姿勢補助具を、使用者の胴部に取り付けられる上部胴支持部と、上部胴支持部材の下側において使用者の胴部に取り付けられる下部胴支持部と、上部胴支持部材と前記下部胴支持部材とを連結する連結部材と、を備え、連結部材が、伸縮可能な状態と伸縮不可能な状態に切り替えられるものとした。
【００１０】
また、本発明の他の観点によれば、姿勢補助具を、使用者の胴部に取り付けられる上部胴支持部と、上部胴支持部材の下側において使用者の胴部に取り付けられる下部胴支持部と、上部胴支持部と下部胴支持部材とを使用者の背中側で連結する背部連結部材と、上部胴支持部と前記下部胴支持部材とを使用者の体側部側で連結する体側部連結部材とを備え、背部連結部材又は体側部連結部材は、伸縮可能な状態と伸縮不可能な状態に切り替えられるものであるものとした。
【発明の効果】
【００１１】
本発明によれば、立位で長時間作業する者の作業動作の支障となることなく、使用者の姿勢を適切に支持することができ、使用者の疲労及び負担を軽減することができる姿勢補助具を提供することができる。
【図面の簡単な説明】
【００１２】
【図１】本発明の姿勢補助具の概略を背中側から見た図である。
【図２】実施例１の姿勢補助具を体側部から見た図である。
【発明を実施するための最良の形態】
【００１３】
以下、本発明の実施形態を説明するが、本発明の構成は以下の実施形態に限定されるものではない。
【００１４】
図１に本発明の姿勢補助具の概略を背中側から見た図を示す。上部胴支持部１及び下部胴支持部２は、ベルト状又はリング状（環状）の部材であり、使用者の胴に巻き付けるようにして取り付けられ、使用者の胴部に固定される。上部胴支持部１と下部胴支持部２は、背中側に配置される背部連結部材４と体側部に配置される体側部連結部材３により連結されている。背部連結部材４及び体側部連結部材３は、伸縮可能な状態と伸縮不可能な固定状態（ロック状態）が切り替えられる構造となっている。固定状態に固定する方法は、手動で固定する方法でも、電動で自動的に固定される方法でも良い。また固定方法は、メカニカルロックを使用しても良い。
【００１５】
伸縮可能状態と固定状態を切替可能な連結部材３、４の構造の具体例としては、以下のようなものがある。
【００１６】
連結部材が２種類の部材（以下、「部材A」、「部材B」という。）で構成され、部材Aは中空棒形状で、部材Bは円柱形状で、部材Aの中空穴部に部材Bを入れるような構造とすることができる。伸縮可能状態では、２種類の部材がスライドして相対的に移動できる状態となっている。他方、固定（ロック）状態とするには、適切な伸縮状態で、部材Aの凸部を部材Bの凹部にはめ込んで、部材Aと部材Bを固定すれば、連結部材が伸縮できない固定状態となる。また、別の固定方法としては、部材Aから内側に２個の凸部が電動により飛び出て、その２個の凸部が部材Bを挟み込み、部材Aが部材Bを固定（ロック）する方法とすることもできる。
【００１７】
使用方法としては、まず、背部連結部材４及び体側部連結部材３が伸縮可能な状態で作業者が姿勢を調整し、作業者が維持したい姿勢になったところで、背部連結部材４及び体側部連結部材３を伸縮不可能な状態に固定すると、それ以後作業者のその姿勢を本姿勢補助具が支持し、作業者が長時間その姿勢で作業を行っても疲れにくくなるという効果がある。
【実施例１】
【００１８】
図２に実施例１（試作機）を体側部側から見た図を示す。５は使用者、６は上部胴支持部、９は下部胴支持部、７は、上部胴支持部６と下部胴支持部９を背中側で連結する背部連結部材、８は、上部胴支持部材６と下部胴支持部材９を体側部側で連結する体側部連結部材である。使用者の体幹に装着されるボディフレームの背側、あるいは体側部で自由にスライドする連結部材７、８で姿勢保持したい部位でロック機構が機能し体幹を固定する（丸印は背側連結部材７。）。使用者の胴部が任意の位置で固定されることによって、姿勢補助に関して注意を払う必要性が下がる。そのため、姿勢保持に関する体幹筋を休ませることが可能となり、本来行うべき作業に注力可能となる。体幹が長時間安定することによって、本来行うべき作業の高効率化、精度の維持、上昇が期待できる。連結部材の固定機構は止った際に手動あるいは自動でロックする。
【００１９】
使用者が支持してほしい姿勢で固定して使用者の腰部を支持するため、使用者が立位で作業を行っても疲れにくくなるという効果がある。
【産業上の利用可能性】
【００２０】
本発明は、姿勢補助具として産業上利用可能である。
【符号の説明】
【００２１】
１  上部胴支持部
２  下部胴支持部
３  体側部連結部材
４  背部連結部材
５  使用者
６  上部胴支持部
７  背部連結部材
８  体側部連結部材
９  下部胴支持部
【図１】
2019041829.tif 000003
【図２】
2019041829.tif 000004